【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
組織の修復に使用されるポリマー組成物であって、ポリマーおよび血液成分を含む、ポリマー組成物。
【請求項２】
患者の組織の修復に使用されるポリマー組成物であって、少なくとも１つの血液成分と混合可能で、血液成分と混合されると混合物になり、混合物が時間が経つまたは加熱されると非液体状態に変化し、該混合物が導入部位に保持され、組織の修復のためにそこに接着する、ポリマー組成物。
【請求項３】
ポリマーが修飾または天然多糖類である、請求項２記載のポリマー組成物。
【請求項４】
多糖類が、キトサン、キチン、ヒアルロナン、グリコサミノグリカン、コンドロイチン硫酸、ケラタン硫酸、デルマタン硫酸、ヘパリン、またはヘパリン硫酸からなる群より選択される、請求項３記載のポリマー組成物。
【請求項５】
ポリマー組成物が、天然、組換えもしくは合成蛋白質、またはポリアミノ酸を含む、請求項２記載のポリマー組成物。
【請求項６】
ポリアミノ酸がポリリジンである、請求項５記載のポリマー組成物。
【請求項７】
天然蛋白質が可溶性コラーゲンまたはゼラチンである、請求項５記載のポリマー組成物。
【請求項８】
ポリマー組成物が、カルボキシル官能基、アミノ官能基、スルホン官能基、ホスホン官能基、ホスフェン官能基を含み、さらなる官能基を含むまたは含まない、ポリ乳酸、ポリグリコール酸、合成ホモコポリマーおよびブロックコポリマーを含む、請求項２記載のポリマー組成物。
【請求項９】
さらなる官能基が、ヒドロキシル基、チオール基、アルコキシ基、アリルオキシ基、アシルオキシ基、およびアロイルオキシ基からなる群より選択される、請求項８記載のポリマー組成物。
【請求項１０】
ポリマー組成物が無機塩を含む緩衝液に溶解または懸濁される、請求項２記載のポリマー組成物。
【請求項１１】
無機塩がナトリウム、塩化物、カリウム、カルシウム、マグネシウム、リン酸塩、硫酸塩、およびカルボン酸塩からなる群より選択される、請求項１０記載のポリマー組成物。
【請求項１２】
ポリマー組成物が、グリセロールリン酸、フルクトースリン酸、グルコースリン酸、Ｌ−セリンリン酸、アデノシンリン酸、グルコサミン、ガラクトサミン、ＨＥＰＥＳ、ＰＩＰＥＳ、およびＭＥＳからなる群より選択される有機塩を含む緩衝液中に溶解または懸濁される、請求項２記載のポリマー組成物。
【請求項１３】
ポリマー組成物が、６．５と７．８の間のｐＨを持つ、請求項２〜１２のいずれか記載のポリマー組成物。
【請求項１４】
ポリマー溶液の浸透圧が、２５０ ｍＯｓｍ／Ｌと６００ｍＯｓｍ／Ｌの間の生理的値に調節される、請求項２〜１３のいずれか記載のポリマー組成物。
【請求項１５】
血液成分が、全血、加工した血液、静脈血、動脈血、骨由来の血液、骨髄由来の血液、骨髄、臍帯血、および胎盤血からなる群より選択される、請求項２記載のポリマー組成物。
【請求項１６】
血液成分が、赤血球、白血球、単球、血小板、フィブリノーゲン、およびトロンビンからなる群より選択される、請求項２記載のポリマー組成物。
【請求項１７】
血液成分が血小板に富む無赤血球血漿を含む、請求項２記載のポリマー組成物。
【請求項１８】
血液成分の凝固が阻止されている、請求項２記載のポリマー組成物。
【請求項１９】
血液成分が、クエン酸塩、ヘパリン、またはＥＤＴＡからなる群より選択される抗凝固剤を含む、請求項１８記載のポリマー組成物。
【請求項２０】
導入部位での凝固／固体化を向上するために、血液成分が凝固促進物質を含む、請求項２記載のポリマー組成物。
【請求項２１】
凝固促進物質が、トロンビン、カルシウム、コラーゲン、エラグ酸、エピネフリン、アデノシン二リン酸、組織因子、リン脂質、および凝固因子からなる群より選択される、請求項２０記載のポリマー組成物。
【請求項２２】
凝固因子が第ＶＩＩ因子である、請求項２１記載のポリマー組成物。
【請求項２３】
血液成分が、自己または非自己である、請求項２記載のポリマー組成物。
【請求項２４】
ポリマー組成物が血液成分に対して１：１００から１００：１までの種々の比で使用される、請求項２記載のポリマー組成物。
【請求項２５】
ポリマー組成物および血液成分が音波、撹拌、ボルテックス、またはシリンジを何度も通過させることによって機械的に混合される、請求項２記載のポリマー組成物。
【請求項２６】
組織が、軟骨、半月板、靭帯、腱、骨、皮膚、角膜、歯周組織、膿瘍、切除した腫瘍、および潰瘍からなる群より選択される、請求項２〜２５のいずれか一項に記載のポリマー組成物。
【請求項２７】
インビボにおいて組織を修復または再生するための細胞の送達のために用いるキトサン溶液であって、０．５〜３％ｗ／ｖのキトサンを含み、熱でゲル化するよう調製され、修復または再生される組織に注入する前に細胞と混合される、キトサン溶液。
【請求項２８】
キトサン組成物がリン酸塩、グリセロールリン酸、またはグルコサミンの添加によって熱でゲル化するように誘導される、請求項２７記載のキトサン溶液。
【請求項２９】
キトサン溶液が６．５から７．８の間のｐＨを持つ、請求項２７記載のキトサン溶液。
【請求項３０】
細胞が自己または非自己である、請求項２７記載のキトサン溶液。
【請求項３１】
細胞が、初代細胞、継代細胞、選択された細胞、血小板、間質細胞、幹細胞、および遺伝的に改変された細胞からなる群より選択される、請求項２７記載のキトサン溶液。
【請求項３２】
細胞が担体溶液中に懸濁される、請求項２７記載のキトサン溶液。
【請求項３３】
担体溶液が、ヒアルロン酸、ヒドロキシエチルセルロース、コラーゲン、アルギン酸塩、または水溶性ポリマーを含む、請求項３２記載のキトサン溶液。
【請求項３４】
インビトロでの細胞培養に用いるゲル化するキトサン溶液であって、０．５〜３％ｗ／ｖのキトサンを含み、熱でゲル化するように調製されており、溶液のインビトロでの培養前に細胞と混合される、キトサン溶液。
【請求項３５】
リン酸塩、グリセロールリン酸、またはグルコサミンの添加によって熱でゲル化するように誘導される、請求項３４記載のゲル化キトサン溶液。
【請求項３６】
６．５から７．８の間のｐＨを持つ、請求項３４記載のゲル化キトサン溶液。
【請求項３７】
細胞が、初代細胞、継代細胞、選択された細胞、間質細胞、幹細胞、および遺伝的に改変された細胞からなる群より選択される、請求項３５記載のゲル化キトサン溶液。
【請求項３８】
細胞が担体溶液中に懸濁される、請求項３５記載のゲル化キトサン溶液。
【請求項３９】
担体溶液が、ヒアルロン酸、ヒドロキシエチルセルロース、コラーゲン、アルギン酸塩、または水溶性ポリマーを含む、請求項３７記載のゲル化キトサン溶液。
【請求項４０】
平均分子量が１ ｋＤａから１０ ＭＤａの間の０．０１％と１０％ｗ／ｖの間の２０％〜１００％脱アセチルキトサン、および血液成分を含むポリマー組成物。
【請求項４１】
キトサンが有機または無機リン酸緩衝液に溶解される、請求項４０記載のポリマー組成物。
【請求項４２】
有機または無機リン酸緩衝液が、リン酸塩、グリセロールリン酸を含む緩衝液である、請求項４０記載のポリマー組成物。
【請求項４３】
組成物中のキトサンが、可溶性の状態であり、組成物が６．５と７．４の間のｐＨを持つ、請求項４１記載のポリマー組成物。